(57)【要約】【課題】  転倒し難いように安定させた状態で載置できると共に装飾性を兼ね備えた据え置き用額を提供する。【解決手段】  写真、絵画などの作画体３ｂを飾る額本体２の前側下部に、転倒防止用の脚部４を一体に形成する。この脚部４を造花などの装飾体８を取り付ける取付部材として兼用し、この兼用した脚部４に装飾体８を取り付ける。これにより、据え置き用額１の重心が下方に位置することとなり、倒れ難いよう安定して載置ことが可能となると共に、脚部４に装飾体８を取り付けることで装飾性及び美感を向上することができる。【選択図】      図１
2006217950.tif 000002
【特許請求の範囲】
【請求項１】
写真、絵画などの作画体を飾る額本体と、該額本体を支持する脚部とを備えた据え置き用額であって、前記額本体の前側下部に転倒防止用の脚部を一体に形成し、この脚部を造花などの装飾体を取り付ける取付部材として兼用し、前記脚部に前記装飾体を取り付けたことを特徴とする据え置き用額。
【請求項２】
写真、絵画などの作画体を飾る額本体と、該額本体を支持する脚部とを備えた据え置き用額において、前記額本体の前側下部に着脱自在な転倒防止用の脚部を一体的に組み付け、この脚部を造花などの装飾体を取り付ける取付部材として兼用し、前記脚部に前記装飾体を取り付けたことを特徴とする据え置き用額。
【請求項３】
前記額本体の材質は、木製であることを特徴とする請求項１又は２記載の据え置き用額。
【請求項４】
前記取付部材としての脚部に凹部を設け、該凹部に前記装飾体に設けた凸部を嵌合させて、前記脚部と装飾体とを取り付けたことを特徴とする請求項１〜３の何れか１項に記載の据え置き用額。
【請求項５】
前記脚部の凹部に前記装飾体に代えて有底筒型の器を遊嵌させ組み付けたことを特徴とする請求項１〜４の何れか１項に記載の据え置き用額。
【請求項６】
前記作画体を前傾姿勢で保持したことを特徴とする請求項１〜５の何れか１項に記載の据え置き用額。
【発明の詳細な説明】
【技術分野】
【０００１】
本発明は、写真、絵画、図面等の作画体を飾る据え置き用額に関し、特に、作画体を飾った額の前面に設けた転倒防止用の脚部を兼用し、この脚部に造花や生花等の装飾体を取り付けることが可能な額に関する。
【背景技術】
【０００２】
従来から写真や絵画等を飾った写真立てなどを人から見易いように飾るため、写真立て等の額本体の背面に脚部を取り付けることで、机などに写真立てを後傾姿勢で載置する構造のものが用いられている。図１０は、こうした従来から用いられている樹脂製の写真立てを示す図であり、図１０の（a）は背面図、図１０の（b）は側面図であり、額本体２１の背面に着脱可能な脚部２２を取り付け、この脚部２２と額本体２１の下端とを台上に設置させ、額本体を立てた状態で保持する写真立て２０が一般的に利用されている。
【０００３】
また、特許文献１には、葬儀などで故人の遺影を飾る額の枠部に、凹状の溝を複数設け、溝に土や保水材などを入れたその部分に生花を挿し入れることにより、生花が萎れないよう新鮮度を保つことが可能な溝つき額が開示されている。
【０００４】
【特許文献１】特開平１１−５６５８９号公報
【発明の開示】
【発明が解決しようとする課題】
【０００５】
しかし、図１０に示す従来の写真立てにおいては、写真立てを載置する際、脚部２２と額本体２１の下端部により、台上に三点接地で載置することは可能ではあるが、こうした樹脂製の写真立ては軽量であることから、誤って手などが接触してしまうと少しの衝撃で簡単に転倒してしまい、例えば、その転倒に伴って写真立て２０が、机などの台上から床に落下してしまった際には、額本体２１に取り付けた脚部が折れたり外れてしまったりすることから、脚部が折れてしまった際には再び用いることが困難となる。また、写真を入れた額本体２１が斜め上方を向いた後傾姿勢で載置されるので、机の上などに載置するぶんには見易いが、人の背高さより高い位置に写真立てを設置した場合には、極めて見難く好ましくない。また、脚部２２が額本体２１の背面から後方に張り出す構造となっているため、額本体の後方に無駄なスペースができてしまうので、設置場所のレイアウトに制約が生じてしまう。
【０００６】
また、特許文献１の額は、台上に載置する据え置き型の額として用いた場合、保水材の取替えや、生花の手入れ、清掃に関しても、額全体を丸ごと行わなければならず、手間がかかってしまう。また、この額の溝の形状は、単純に水平に凹部を形成しただけなので、額を垂直に立てた状態で保持すると、生花などの装飾体はその構造上、溝から落下してしまい、額を垂直に立てた状態で装飾体を溝に固定するには適していない。
【０００７】
本発明は上記課題を鑑みてなされたものであり、転倒し難いように安定させた状態で保持できると共に装飾性を兼ね備えた据え置き用額を提供することを目的とし、また、比較的高い位置に設置しても、視認性を確保した据え置き用額を提供することを目的する。
【課題を解決するための手段】
【０００８】
請求項１に係る据え置き用額は、写真、絵画などの作画体を飾る額本体と、該額本体を支持する脚部とを備えた据え置き用額であって、前記額本体の前側下部に転倒防止用の脚部を一体に形成し、この脚部を造花などの装飾体を取り付ける取付部材として兼用し、前記脚部に前記装飾体を取り付けたことを特徴とする。
【０００９】
請求項１の構成によれば、額本体の前側下部に脚部を一体に形成したことにより、据え置き用額の重心が下方に位置することとなり、据え置き用額が倒れ難いよう安定して載置ことが可能となると共に、さらに脚部を装飾体の取付部材として兼用し、脚部に装飾体を取り付けることで、装飾性及び美感を向上することができる。
【００１０】
請求項２に係る据え置き用額は、写真、絵画などの作画体を飾る額本体と、該額本体を支持する脚部とを備えた据え置き用額において、前記額本体の前側下部に着脱自在な転倒防止用の脚部を一体的に組み付け、この脚部を造花などの装飾体を取り付ける取付部材として兼用し、前記脚部に前記装飾体を取り付けたことを特徴とする。
【００１１】
請求項２の構成によれば、額本体の前側下部に着脱自在な脚部を一体的に組み付けたことにより、据え置き用額の重心が下方に位置することとなり、据え置き用額が倒れ難いよう安定して載置ことが可能となると共に、さらに脚部を装飾体の取付部材として兼用し、脚部に装飾体を取り付けることで、装飾性及び美感を向上することができる。
【００１２】
請求項３に係る据え置き用額は、請求項１又は２記載の据え置き用額において、前記額本体の材質は、木製であることを特徴とする。
【００１３】
請求項３の構成によれば、額本体の材質を木製としたので、従来から用いられている安価な樹脂製の写真立てと異なり、装飾性に加え高級感をもかもし出すことができる。
【００１４】
請求項４に係る据え置き用額は、請求項１〜３の何れか１項記載の据え置き用額において、前記取付部材としての脚部に凹部を設け、該凹部に前記装飾体に設けた凸部を嵌合させて、前記脚部と装飾体とを取り付けたことを特徴とする。
【００１５】
請求項４の構成によれば、脚部の凹部に装飾体の凸部を嵌合させて、脚部に装飾体を簡単に取り付けて、装飾性及び美感を向上することができる。
【００１６】
請求項５に係る据え置き用額は、請求項１〜４の何れか記載の据え置き用額において、前記脚部の凹部に前記装飾体に代えて有底筒型の器を遊嵌させ組み付けたことを特徴とする。
【００１７】
請求項５の構成によれば、有底筒型の器を凹部に遊嵌させて組み付けることができるので、例えば、水などを入れた器に、装飾体たる生花等を差し入れた際の水の取り替えや生花の手入れなどを、脚部から器を取り外し容易に清掃することが可能となる。
【００１８】
請求項６に係る据え置き用額は、請求項１〜５の何れか１項に記載の据え置き用額において、前記作画体を前傾姿勢で保持したことを特徴とする。
【００１９】
請求項６の構成によれば、請求項１〜５の何れか１項に記載の据え置き用額において、作画体を前傾姿勢で保持することで、人の目線より上方に据え置き用額を載置した際、上方に載置された据え置き用額に飾られた作画体を下方から容易に鑑賞することができる。
【発明の効果】
【００２０】
請求項１に係る据え置き用額によれば、写真、絵画などの作画体を飾る額本体と、該額本体を支持する脚部とを備えた据え置き用額であって、前記額本体の前側下方に転倒防止用の脚部を一体に形成し、この脚部を造花などの装飾体を取り付ける取付部材として兼用し、前記脚部に前記装飾体を取り付けたので、据え置き用額が倒れ難いよう安定して載置ことが可能となり転倒することを軽減できると共に、装飾性及び美感を向上することができる。
【００２１】
請求項２に係る据え置き用額は、写真、絵画などの作画体を飾る額本体と、該額本体を支持する脚部とを備えた据え置き用額において、前記額本体の前側下部に着脱自在な転倒防止用の脚部を一体的に組み付け、この脚部を造花などの装飾体を取り付ける取付部材として兼用し、前記脚部に前記装飾体を取り付けたので、据え置き用額が倒れ難いよう安定して載置ことが可能となり転倒することを軽減できると共に、装飾性及び美感を向上することができる。
【００２２】
請求項３に係る据え置き用額は、請求項１又は２の記載において、前記額本体の材質は、少なくとも木製であり、より一層装飾性を高めることができる。
【００２３】
請求項４に係る据え置き用額は、請求項１〜３の何れか１項の記載において、前記取付部材としての脚部に凹部を設け、該凹部に前記装飾体に設けた凸部を嵌合させて、前記脚部と装飾体とを取り付けたものであり、脚部に装飾体を簡単に取り付けて、装飾性及び美感を向上することができる。
【００２４】
請求項５に係る据え置き用額は、請求項１〜４の何れかの記載において、前記脚部の凹部に前記装飾体に代えて有底筒型の器を遊嵌させ組み付けたので、脚部から器を簡単に取り外し可能となり、生花等の差し入れられた器の清掃や水の入れ替えを容易に行うことが可能となる。
【００２５】
請求項６に係る据え置き用額は、請求項１〜５の何れか１項の記載において、前記作画体を前傾姿勢で保持したので、据え置き用額を人の目線より上方に載置した際の、作画体の視認性を確保することができる。
【発明を実施するための最良の形態】
【００２６】
以下、本発明を実施するための最良の形態としての実施例を図１から図９を参照して説明する。もちろん、本発明は、その発明の趣旨に反さない範囲で、実施例において説明した以外のものに対しても容易に適用可能なことは説明を要するまでもない。
【実施例１】
【００２７】
図１は実施例１における据え置き用額を示す斜視図、図２は装飾体を取り外した状態を示す分解斜視図、図３は据え置き用額の拡大正面図、図４は図３におけるＡ−Ａ線断面図、図５は表示シートの取り付け手順を示す斜視図、図６は据え置き用額を背面側から見た状態を示す分解斜視図であり、これらの図に基づいて以下に説明する。
【００２８】
図１に示す据え置き用額１は、この据え置き用額１を載置した際に写真や絵画などの作画体を垂直に保持するものであり、木製の額本体２と、この額本体２が転倒しないよう支持する脚部４が一体に形成されているもので、額本体２の前側下部に脚部４が一体に形成されている。なお、前記前側下部とは、脚部４の全体が、少なくとも額本体２の中心より下方に配置されていることを言い、額本体２及び脚部４の下面は、机などに載置した際に接地される接地面を有する。
【００２９】
また、図２〜図４に示すように、脚部４には凹部１０が形成されており、造花などの装飾体８の下部には凸部９が形成されており、この凸部９を脚部４の凹部１０に差し込むことで、脚部４に装飾体８を簡単に取り付けできるようになっている。
【００３０】
６は額本体に飾る絵画や写真などの作画体３ｂに対応した名称等を記した表示シート１３を挟持する透明板である。透明板６は、図５に示すように、額本体２の下方に形成した溝７に係合され、表示シート１３を額本体２と透明板６との間に挟持することができる。
【００３１】
また、額本体２の背面は、図４及び図６に示すように、平面状となっており、額本体２の背面側に、回動自在に固定した係止爪２ｃにより、額本体２の前面側に配置される作画体３ｂが、透明板３ａ、作画体３ｂ、裏板３ｃの順に重ねた状態で、係止爪２ｃにより額本体２に固定することができる。
【００３２】
また、本実施例における据え置き用額１は、前述したように、額本体２の前側下部に脚部４を一体に形成し、この脚部４により額本体２が前方に倒れることなく支持され、且つ、額本体２の背面が、平面形状となっているので、従来の写真立てのように、額本体の背面側に脚部が張り出さないため、額本体２の後方に無駄なスペースが生じることがなく、据え置き用額１の平面状の背面を壁などに当接させた状態で倒れることのないよう安定的に保持することができる。
【００３３】
また、据え置き用額１は、水平な台上に載置した際、額本体の作画体３ｂが、垂直に配置されるので、人の視線より高い位置、或いは低い位置に載置してもその高低に係らず作画体３ｂを鑑賞することが可能となる。
【００３４】
装飾体８に一体に設けた凸部９は、単に、脚部４に形成した凹部１０に差し込むことで装飾体８の着脱を繰り返し行うことができるので、季節や飾られる作画体３ｂに合わせて、他の形状の装飾体に、簡単に取替えすることができる。なお、本実施例における凸部９及びこれに対応する凹部１０は、円柱形状となっているが、特にこの形状に限定するものではなく、多角柱形状としてもよい。
【００３５】
また、作画体３ｂとして飼育していたペットなどの遺影の写真を飾った据え置き用額１を、例えばペット霊園などで供養される合同祭壇のような狭いスペースにおいても容易且つ安定的に据え置き用額１を設置することができる。
【００３６】
以上のように、実施例１における据え置き用額１は、額本体２の前側下部に脚部４を一体に形成することで、転倒し難いように安定させた状態で保持できると共に、転倒防止用の脚部４を装飾体８を取り付ける取付部材として兼用し、この兼用した前記脚部４に装飾体８を取り付けたものである。これにより、据え置き用額１の重心が下方に位置することとなり、据え置き用額１が倒れ難いよう安定して載置ことが可能となると共に、さらに脚部４を装飾体８の取付部材として兼用し、脚部４に装飾体８を取り付けたことで、装飾性及び美感を向上することができる。
【００３７】
さらに、前記額本体２の材質を木製としたので、従来から用いられている安価な樹脂製の写真立てと異なり、一層装飾性が向上され高級感をかもし出すことができる。
【００３８】
しかも、脚部４に設けた凹部１０に装飾体８に設けた凸部９を嵌合させて、脚部４と装飾体８とを簡単に取り付けることができる。なお、前記凸部９及び凹部１０は、円柱状及びそれと対応した円筒状に形成されているが、その形状は特に限定するものではなく、凸部９を多角柱状に形成すると共に凹部１０をそれと対応した角筒状に形成するなど、種々の変形実施も可能である。円柱状及び円筒状ならば形成が容易であり、多角柱状及び角筒状ならば装飾体８を固定したときに、装飾体８が回転しないように所定の方向に位置決めすることができる。
【実施例２】
【００３９】
図７は実施例２における額本体と脚部とを一体的に組み付ける手順を示す側面図であり、前記実施例１と同一部分には同一符号を付し、その詳細な説明を省略する。前記実施例１の脚部４は額本体２と一体に形成されているが、本実施例では、図７に示すように、額本体２と脚部４とを別の部材として、額本体２に穿設した取付凹部２ｂと脚部４に突設した突起４ａとを嵌合させて額本体２と脚部４とを一体的に組み付けたもので、それ以外は実施例１と同様の構造となっている。なお、この組み付け方法は、特にこの方法に限定するものではなく、固着剤を用いて額本体２と脚部４を一体的に接着して組み付けてもよいし、額本体２に突起４ａを形成し、脚部４に取付凹部２ｂを形成して嵌合させてもよい。
【００４０】
このように、実施例２によれば、額本体２の前側下部に脚部４を一体的に組み付けることにより、実施例１と同様に、据え置き用額１の重心が下方に位置することとなり、据え置き用額１が倒れ難いよう安定して載置ことが可能となると共に、さらに脚部４を装飾体８の取付部材として兼用し、この兼用した脚部４に装飾体８を取り付けることで、装飾性及び美感を向上することができる。
【実施例３】
【００４１】
図８は実施例３における脚部の凹部に器を遊嵌した状態を示す斜視図であり、前記実施例１及び２と同一部分には同一符号を付し、その詳細な説明を省略する。前記実施例１及び２では、脚部４に装飾体８を取り付けた場合を示したが、本実施例においては、図８に示すように、脚部４に花瓶などの有低筒型であるステンレス製などの器１２を遊嵌する縦方向に長い凹部１０を形成し、凹部１０に遊嵌した器１２に、保水材や水を入れると共に生花を差し入れて飾ることが可能となるので、例えば、器１２に生けた生花などの手入れや清掃を行う時に、脚部４から器１２を簡単に取り外し水換えなどの清掃を行うことができる。また、器１２を脚部４に遊嵌させた場合、脚部４の下面に加わる荷重が増加し、より安定的に据え置き型額１を保持することができ、器１２に保水材や水などを入れることにより更に荷重を増加させ、安定度を高めることができる。
【実施例４】
【００４２】
図９は実施例４における据え置き用額の作画体を傾斜させた状態で配置した状態を示す説明図であり、前記実施例１〜３と同一部分には同一符号を付し、その詳細な説明を省略する。本実施例では、据え置き用額１の下面である接地面を傾斜させ、水平な設置面Ｇに載置した際に、据え置き用額１が前傾姿勢で保持される。つまり、実施例４によれば、額本体２を鉛直方向に配置した際の、額本体２の接地面より前記脚部の接地面の高さを高く形成して、水平な設置面Ｇに前傾姿勢で据え置き用額１を載置した際に、作画体３ｂを前傾姿勢で保持できる。従って、例えば、人の目線より上方に据え置き用額１を配置したとしても、この据え置き用額１に飾った作画体３ｂを下方から容易に鑑賞することができる。
【図面の簡単な説明】
【００４３】
【図１】本発明の実施例１を示す、据え置き用額の斜視図である。
【図２】同上、装飾体を取り外した状態を示す分解斜視図である。
【図３】同上、据え置き用額の拡大正面図である。
【図４】同上、図３におけるＡ−Ａ線断面図である。
【図５】同上、表示シートの取り付け手順を示す斜視図である。
【図６】同上、据え置き用額を背面から見た状態を示す分解斜視図である。
【図７】実施例２における額本体と脚部とを一体的に組み付ける手順を示す側面図である。
【図８】実施例３における脚部の凹部に器を遊嵌した状態を示す斜視図である。
【図９】実施例４における据え置き用額の作画体を傾斜させた状態で配置した状態を示す説明図である。
【図１０】従来の写真立ての例を示す図であり、（ａ）は背面図、（ｂ）は側面図である。
【符号の説明】
【００４４】
１  据え置き用額
２  額本体
３ｂ  作画体
４  脚部
８  装飾体
９  凸部
１０  凹部
１２  器
【図１】
2006217950.tif 000003
【図２】
2006217950.tif 000004
【図３】
2006217950.tif 000005
【図４】
2006217950.tif 000006
【図５】
2006217950.tif 000007
【図６】
2006217950.tif 000008
【図７】
2006217950.tif 000009
【図８】
2006217950.tif 000010
【図９】
2006217950.tif 000011
【図１０】
2006217950.tif 000012